(57)【要約】【課題】光アクセスシステムのレンジング時間に起こる、周期的送信信号の途絶の回避すること。【解決手段】第一の方法として、レンジング周期には、送信側では周期的送信信号の送信を停止し、レンジングが終了したときにまとめて送信し、受信側ではあらかじめレンジングに備えて信号をバッファリングする。第二の方法として、あらかじめレンジングを行う周期を固定し、送信側では周期的送信信号をあらかじめ複数組み立てて送信し、受信側では分解して送信する。そしてこの送信周期とレンジング周期が一致しないように送受信制御を行う。【効果】周期的送信を必要とする信号をレンジング動作時にも途絶なく通信させることが出来る光アクセスシステムを提供できる。【選択図】図１
2010104021.tif 000002
【特許請求の範囲】
【請求項１】
端末に接続された光ネットワーク装置及び該光ネットワーク装置とネットワークとに接続された光集線装置を備え、前記端末から送信される時分割多重方式の信号及びパケット多重方式の信号を、前記光ネットワーク装置及び前記光集線装置を介して、前記ネットワークに送信する光アクセスシステムであって、
周期フレームを用いて前記時分割多重方式及び時分割多重方式及びパケット多重方式の信号を前記光ネットワーク装置から前記光集線装置に送信し、
前記光ネットワーク装置は、前記端末から受信した前記時分割多重方式及びパケット多重方式の信号を前記周期フレームを用いて前記光集線装置を介して前記ネットワークに送信する際、前記周期フレームを定数個含み前記周期フレームより長い長期フレームの周期ごとに送信し、かつ前記時分割多重信号を前記長期フレームの周期で前記周期フレームに割り当てた後に該時分割多重信号と重ならないタイミングで前記パケット多重方式の信号を前記周期フレームに割り当てることを特徴とする光アクセスシステム。
【請求項２】
請求項１記載の光アクセスシステムであって、
さらに前記光集線装置と前記光ネットワーク装置との間の距離を測定するレンジングを行い、
前記光ネットワーク装置は、前記端末から受信した前記時分割多重方式の信号を前記周
期フレームを用いて前記光集線装置を介して前記ネットワークに送信する際、前記端末の
うち特定の端末から送信される周期フレームを、前記周期フレームを定数個含み前記周期
フレームより長い長期フレームの周期ごとに送信し、かつ該送信を行うタイミングが前記
レンジングの時間と重ならないようにスケジューリングして送信することを特徴とする光
アクセスシステム。
【請求項３】
請求項２記載の光アクセスシステムであって、
前記光ネットワーク装置から前記光集線装置を介して前記ネットワークに向かう信号に
ついては、
前記光ネットワーク装置では、前記時分割多重方式の信号を複数かつｎ個格納したパケ
ットを構成し、該パケットを前記時分割多重方式の周期ｎ個分の時間ごとに送信し、かつ
該送信を行うタイミングが前記レンジングの時間と重ならないようにスケジューリングし
て送信し、
前記光集線装置では、前記パケットを受信し、該パケットに格納されたｎ個の前記時分
割多重方式の信号をｎ個のフレームに分割して前記ネットワークに送信することを特徴と
する光アクセスシステム
【請求項４】
請求項３記載の光アクセスシステムであって、
前記パケットには、Ｇ−ＰＯＮのＧＥＭヘッダに続いてｎ個の前記時分割多重方式の信
号が連続して含まれることを特徴とする光アクセスシステム。
【請求項５】
請求項３記載の光アクセスシステムであって、
前記ｎは３、４、６、または８のいずれか一つであることを特徴とする光アクセスシス
テム。
【請求項６】
請求項３記載の光アクセスシステムであって、
前記パケットには、Ｇ−ＰＯＮのＧＥＭヘッダに続いてｎ個の前記時分割多重方式の信
号が連続して含まれるものを一構成単位としたときに、この構成単位が複数個含まれるこ
とを特徴とする光アクセスシステム。
【請求項７】
請求項２記載の光アクセスシステムであって、
前記長期フレームの周期が１ｍｓの定数倍であることを特徴とする光アクセスシステム
【請求項８】
請求項４記載の光アクセスシステムであって、
前記パケットには、一パケットに含まれる前記時分割多重方式の信号の数の増減を前記
光ネットワーク装置に通知するためのフラグが含まれることを特徴とする光アクセスシス
テム
【請求項９】
端末及び光集線装置に接続され、前記端末から受信する時分割多重方式の信号及びパケット多重方式の信号を、前記光集線装置を介して前記光集線装置と接続されたネットワークに送信する光ネットワーク装置であって、
周期フレームを用いて前記光集線装置に前記時分割多重方式及びパケット多重方式の信号を送信し、
前記光集線装置に前記端末から受信した前記時分割多重方式及びパケット多重方式の信号を前記周期フレームを用いて送信する際、前記周期フレームを定数個含み前記周期フレームより長い長期フレームの周期ごとに送信し、かつ前記時分割多重信号を前記長期フレームの周期で前記周期フレームに割り当てた後に該時分割多重信号と重ならないタイミングで前記パケット多重方式の信号を前記周期フレームに割り当てることを特徴とする光ネットワーク装置。
【請求項１０】
請求項９に記載の光ネットワーク装置において、
さらに、前記光集線装置との距離を測定するレンジングを行い、
前記光集線装置に前記端末から受信した前記時分割多重方式の信号を前記周期フレーム
を用いて送信する際、前記端末のうち特定の端末から送信される周期フレームを、前記周
期フレームを定数個含み前記周期フレームより長い長期フレームの周期ごとに送信し、か
つ該送信を行うタイミングが前記レンジングの時間と重ならないようにスケジューリング
して送信することを特徴とする光ネットワーク装置。
【請求項１１】
請求項１０記載の光ネットワーク装置であって、
前記光ネットワーク装置から前記光集線装置を介して前記ネットワークに向かう信号に
ついては、前記時分割多重方式の信号を複数かつｎ個格納したパケットを構成し、該パケ
ットを前記時分割多重方式の周期ｎ個分の時間ごとに送信し、かつ該送信を行うタイミン
グが前記レンジングの時間と重ならないようにスケジューリングして送信することを特徴
とする光ネットワーク装置。
【請求項１２】
請求項１１記載の光ネットワーク装置であって、
前記パケットには、Ｇ−ＰＯＮのＧＥＭヘッダに続いてｎ個の前記時分割多重方式の信
号が連続して含まれることを特徴とする光ネットワーク装置。
【請求項１３】
請求項１１記載の光ネットワーク装置であって、
前記ｎは３、４、６、または８のいずれか一つであることを特徴とする光ネットワーク
装置。
【請求項１４】
請求項１１記載の光ネットワーク装置であって、
前記パケットには、Ｇ−ＰＯＮのＧＥＭヘッダに続いてｎ個の前記時分割多重方式の信
号が連続して含まれるものを一構成単位としたときに、この構成単位が複数個含まれるこ
とを特徴とする光ネットワーク装置。
【請求項１５】
請求項１０記載の光ネットワーク装置であって、
前記長期フレームの周期が１ｍｓの定数倍であることを特徴とする光ネットワーク装置。
【請求項１６】
請求項１２記載の光ネットワーク装置であって、
前記パケットには、一パケットに含まれる前記時分割多重方式の信号の数の増減を前記
光ネットワーク装置に通知するためのフラグが含まれることを特徴とする光ネットワーク
装置。
【請求項１７】
端末に接続された光ネットワーク装置及び該光ネットワーク装置とネットワークとに接
続された光集線装置を備え、前記端末から送信される時分割多重方式の信号及びパケット多重信号を、前記光ネットワーク装置及び前記光集線装置を介して、前記ネットワークに送信する光アクセスシステムであって、
周期フレームを用いて前記時分割多重方式及びパケット多重方式の信号を前記光ネットワーク装置から前記光集線装置に送信し、
前記光集線装置は、前記ネットワークから受信した前記時分割多重方式及びパケット多重方式の信号を前記周期フレームを用いて前記光ネットワーク装置を介して前記端末に送信する際、前記ネットワークから送信される前記時分割多重方式の信号を前記周期フレームを定数個含み前記周期フレームより長い長期フレームの周期ごとに送信し、かつ前記時分割多重信号を前記長期フレームの周期で前記周期フレームに割り当てた後に該時分割多重信号と重ならないタイミングで前記パケット多重方式の信号を前記周期フレームに割り当てる
ことを特徴とする光アクセスシステム。
【請求項１８】
請求項１７に記載の光アクセスシステムであって、
さらに前記光集線装置と前記光ネットワーク装置との間の距離を測定するレンジングを行い、
前記光集線装置は、前記ネットワークから受信した前記時分割多重方式の信号を前記周
期フレームを用いて前記光ネットワーク装置を介して前記端末に送信する際、前記ネット
ワークの特定の送信元から送信される前記時分割多重方式の信号を前記周期フレームを定
数個含み前記周期フレームより長い長期フレームの周期ごとに送信し、かつ該送信を行う
タイミングが前記レンジングの時間と重ならないようにスケジューリングして送信するこ
とを特徴とする光アクセスシステム。
【請求項１９】
請求項１８記載の光アクセスシステムであって、
前記光集線装置から前記光ネットワーク装置を介して前記端末に向かう信号については
、
前記光集線装置では、前記時分割多重方式の信号を複数かつｎ個格納したパケットを構
成し、該パケットを前記時分割多重方式の周期ｎ個分の時間ごとに送信し、かつ該送信を
行うタイミングが前記レンジングの時間と重ならないようにスケジューリングして送信し
、
前記光ネットワーク装置では、前記パケットを受信し、該パケットに格納されたｎ個の
前記時分割多重方式の信号をｎ個のフレームに分割して前記端末に送信することを特徴と
する光アクセスシステム。
【請求項２０】
請求項１９記載の光アクセスシステムであって、
前記パケットには、Ｇ−ＰＯＮのＧＥＭヘッダに続いてｎ個の前記時分割多重方式の信
号が連続して含まれることを特徴とする光アクセスシステム。
【請求項２１】
請求項１９記載の光アクセスシステムであって、
前記ｎは３、４、６、または８のいずれか一つであることを特徴とする光アクセスシス
テム。
【請求項２２】
請求項１９記載の光アクセスシステムであって、
前記パケットには、Ｇ−ＰＯＮのＧＥＭヘッダに続いてｎ個の前記時分割多重方式の信
号が連続して含まれるものを一構成単位としたときに、この構成単位が複数個含まれるこ
とを特徴とする光アクセスシステム。
【請求項２３】
請求項１８記載の光アクセスシステムであって、
前記長期フレームの周期が１ｍｓの定数倍であることを特徴とする光アクセスシステム
【請求項２４】
請求項２０記載の光アクセスシステムであって、
前記パケットには、一パケットに含まれる前記時分割多重方式の信号の数の増減を前記
光ネットワーク装置に通知するためのフラグが含まれることを特徴とする光アクセスシス
テム。
【請求項２５】
光ネットワーク装置及びネットワークに接続され、前記光ネットワーク装置に接続された端末から送信され、前記光ネットワーク装置を介して受信する時分割多重方式の信号及びパケット多重信号を前記ネットワークに送信する光集線装置であって、
前記光ネットワーク装置に前記ネットワークから受信した前記時分割多重方式の信号及びパケット多重信号を前記周期フレームを用いて送信する際、前記周期フレームを定数個含み前記周期フレームより長い長期フレームの周期ごとに送信し、かつ前記時分割多重信号を前記長期フレームの周期で前記周期フレームに割り当てた後に該時分割多重信号と重ならないタイミングで前記パケット多重方式の信号を前記周期フレームに割り当てることを特徴とする光集線装置。
【請求項２６】
請求項２５に記載の光集線装置であって、
さらに前記光集線装置と前記光ネットワーク装置との間の距離を測定するレンジングを行い、
前記光集線装置は、前記ネットワークから受信した前記時分割多重方式の信号及びパケット多重信号を前記周
期フレームを用いて前記光ネットワーク装置を介して前記端末に送信する際、前記ネット
ワークの特定の送信元から送信される前記時分割多重方式の信号を前記周期フレームを定
数個含み前記周期フレームより長い長期フレームの周期ごとに送信し、かつ該送信を行う
タイミングが前記レンジングの時間と重ならないようにスケジューリングして送信するこ
とを特徴とする光集線装置。
【請求項２７】
請求項２６記載の光集線装置であって、
前記光集線装置から前記光ネットワーク装置を介して前記端末に向かう信号については
、
前記時分割多重方式の信号を複数かつｎ個格納したパケットを構成し、該パケットを前
記時分割多重方式の周期ｎ個分の時間ごとに送信し、かつ該送信を行うタイミングが前記
レンジングの時間と重ならないようにスケジューリングして送信することを特徴とする光
集線装置。
【請求項２８】
請求項２７記載の光集線装置であって、
前記パケットには、Ｇ−ＰＯＮのＧＥＭヘッダに続いてｎ個の前記時分割多重方式の信
号が連続して含まれることを特徴とする光集線装置。
【請求項２９】
請求項２７記載の光集線装置であって、
前記ｎは３、４、６、または８のいずれか一つであることを特徴とする光集線装置。
【請求項３０】
請求項２７記載の光集線装置であって、
前記パケットには、Ｇ−ＰＯＮのＧＥＭヘッダに続いてｎ個の前記時分割多重方式の信
号が連続して含まれるものを一構成単位としたときに、この構成単位が複数個含まれるこ
とを特徴とする光集線装置。
【請求項３１】
請求項２６記載の光集線装置であって、
前記長期フレームの周期が１ｍｓの定数倍であることを特徴とする光集線装置。
【請求項３２】
請求項２８記載の光集線装置であって、
前記パケットには、一パケットに含まれる前記時分割多重方式の信号の数の増減を前記
光ネットワーク装置に通知するためのフラグが含まれることを特徴とする光集線装置。
【発明の詳細な説明】
【技術分野】
【０００１】
本発明は、加入者宅と通信事業者の局の間を通信する、光アクセスシステムに関する。
【背景技術】
【０００２】
音声や画像など、データを転送する公衆通信網の中で、ユーザを局に収容するアクセス網には、電話加入者網やADSL等が利用されてきた。更に近年になって、光アクセスシステムの導入が始まっている。
【０００３】
この光アクセスシステムとしては、局側と加入者の間を１対１で接続する方式と、１対ｎで接続する方式がある。この内、１対ｎで接続する方式として、PON（Passive Optical Network）方式が知られている。PON方式では、上り用と下り用に光波長を１つずつ割り当て、OLT（Optical Line Terminal）と複数個のONT（Optical Network Terminal）の間で、帯域を共用してデータ通信を行う。OLTからONTに向かう下り側信号は途中スプリッタにおいて光信号が分配され、ONT側で自分宛の信号のみを取り出すことで通信を行う。上り信号に関しては、OLTがONTに対して送信時間タイミングを通知し、そのタイミングに合せてONTがOLTに対して信号を送信することにより、ひとつの波長を複数のONTで共用してOLTとの通信を行う。
【０００４】
この様な光アクセスシステムとしては、B-PON（Broadband PON）（非特許文献１参照）、GE-PON（Giga-bit Ethernet PON）（非特許文献２参照）、G-PON（Generic  PON）（非特 許文献３参照）方式が知られている。
【０００５】
PONシステムに収容する信号には、WEBやメールなどのインターネットを流れる、周期的でない信号に加えて、従来の電話網や専用線網で通信されている、周期的な信号を収容する必要がある。後者の周期的な信号（TDM：Time Division Multiplexing）は、１２５μｓを固定周期（短期フレーム）とし、この固定周期に固定バイト数を送信することで、一定の帯域での通信を行う。この信号は１２５μｓ毎に周期的である必要があり、時間揺らぎがあることも許容できない。
【先行技術文献】
【非特許文献】
【０００６】
【非特許文献１】ITU-T Recommendation G.983.1，G.983.4
【非特許文献２】IEEE IEEE802.3ah
【非特許文献３】ITU-T Recommendation G.984.1, G984.4
【発明の概要】
【発明が解決しようとする課題】
【０００７】
一方、PONシステムでは、ONTとOLTの間の距離が一定とは限らないため、周期的にONTとOLTの間で距離の測定を行い、上り信号のONTにおける送信タイミングの補正を行う必要がある（この測定及び補正の動作をレンジングと呼ぶ）。この補正タイミングは、例えばOLTとONTの距離が20km〜60kmに分布する場合には、最大許容距離差が40kmになり、レンジング時間は最大２５０μｓ程度必要となる。
【０００８】
レンジング時間中は、距離測定用の信号を送受信する必要があるため、通常の通信を停止する必要がある。
【０００９】
このレンジング時間が２５０μｓに渡った場合、前出の１２５μｓ毎の信号送信が必要な周期的な信号が２５０μｓに渡り送受信できないことになり、信号が途絶するという課題がある。
【課題を解決するための手段】
【００１０】
本課題の第１の解決手段として、レンジング時間中は送信側信号をバッファリングし、レンジングが終了したときに信号をまとめて送信する。受信側では、レンジング時間に渡り信号が到着しない場合を考慮し、レンジングしていない状況ではレンジング時間分に到着するTDM信号をあらかじめバッファリングし、レンジングしている時間にはあらかじめバッファリングしていた信号を送信することで通信途絶を回避する。
【００１１】
本課題の第２の解決手段として、短期フレームのｎ倍の長期フレームを導入し、レンジングタイミングを長期フレームの特定位置に固定する。そして通信信号についてはあらかじめ送信側で複数の短期フレームの信号を纏め、コンポジットフレームとして組み立てて送信し、受信側ではコンポジットフレームを分解し、１２５μｓ毎の信号に載せて次の通信装置に向けて送信する。そしてこのコンポジットフレームの送信タイミングをレンジングタイミングとバッティングさせないようにスケジューリングすることで通信途絶を回避する。
【発明の効果】
【００１２】
周期的送信を必要とする信号をレンジング動作時にも途絶なく通信させることが出来る光アクセスシステムを提供できる。
【図面の簡単な説明】
【００１３】
【図１】本発明の光アクセスシステムの１実施例である。
【図２】本発明のフレームタイミングの１実施例である。
【図３】本発明の信号送受信タイミングの１実施例である。
【図４】本発明の信号送受信タイミングの１実施例である。
【図５】本発明の送受信パケットフォーマットの１実施例である。
【図６】本発明の送受信パケットフォーマットの１実施例である。
【図７】本発明の光集線装置（OLT）の１実施例である。
【図８】本発明の光加入者装置（ONT）の１実施例である。
【図９】本発明によるOLTのPON送受信ブロックの１実施例である。
【図１０】本発明によるOLTのTDM GEM終端部の１実施例である。
【図１１】本発明によるONTのPON送受信ブロックの１実施例である。
【図１２】本発明によるONTのTDM GEM終端部の１実施例である。
【図１３】レンジングの方式を説明する図である。
【発明を実施するための形態】
【００１４】
図１は本発明による光アクセスネットワークシステムの１実施例である。光アクセスネットワークはOLT 1及びONT 2-1 2-2の間で構成されており、各ONTとOLTはスプリッタ3を介して接続される。ONT 2の内、少なくとも１つはIPシステム4及びTDMシステム5に接続されている。また、OLTはIPネットワーク6及びTDMネットワーク7に接続されている。TDMシステム5からのTDM信号は光ネットワークを介してTDMネットワーク7に収容される。またIPシステム4からの信号は光ネットワークを介してIPネットワーク7へと収容される。
【００１５】
図１３を用いて、レンジングを説明する。レンジングはOLTとONU間の距離測定を、上り信号の位相補正を行う目的で行う処理である。レンジングはOLTより起動し、各ONUで即座に信号を返信することで実行する。このレンジングを行っている時間がレンジングウィンドウ152であり、この時間は通信が途絶するという特徴がある。本発明により、光アクセスシステムの特徴であるこの通信途絶時間がある場合にも、時分割多重信号を通信することが出来る。
【００１６】
図２は本発明による光アクセスシステムにおける送信フレームタイミングの１実施例である。OLT 1とONU 2の間の通信は１２５μｓ毎の短期フレームを持っており、この短期フレーム20の中に複数のGEMと呼ばれるパケットを多重して通信を行う。本実施例では、複数フレームを纏めた1msの長周期フレーム22を導入し、これにレンジングタイミング21を括り付けにしている。ここで、「くくりつけられている」とは、長周期フレームの周期に対して固定のタイミングでレンジングを行うことをいう。本実施例では、長周期フレームは短期フレームの8倍の長さとなっており、レンジングタイミングはこの長期フレームの中の6番目20-0-6、７番目20-0-7にくくりつけとなっている。レンジングタイミング21を周期フレーム22にくくりつけることで、いつ通信の途絶が起こるかを予測可能としている 。
【００１７】
図３は本発明による光アクセスシステムにおける送信フレームタイミングの１実施例である。本実施例ではレンジングタイミングの時間は通信が途絶するため、レンジングに備えて、受信側の装置（この図の場合はOLT）であらかじめTDM信号を2フレーム分バッファリングしておき、レンジングタイミングにはそのバッファからTDM信号を送出することで通信途絶を回避できる。
【００１８】
図４は本発明による光アクセスシステムにおける送信フレームタイミングの１実施例である。本実施例では、コンポジット方式を用いている。コンポジット方式とは、常時ある一定数ｎフレーム分のTDM信号を送信側装置でバッファリングし、纏めてGEMとして送出する方式である。本図ではONTを送信側装置、OLT 1が受信側装置となっている。ONT 2にはTDM信号40が周期的に到来している。ONT 2はこの信号を4つずつバッファリングし、４つ纏めてGEMとしてOLT 1に向けて同一短期フレームに送出している。OLT 1ではこのGEMを分解し、各短期フレーム毎にTDM信号として送出している。本実施例では、長期フレームを1ms、纏めるフレームの数を４としているため、長期フレームの中の短期フレームの１番目と５番目ないしは２番目と６番目にコンポジットパケット41を送信すれば、長期フレームに対して、7番目、8番目に固定されているレンジングタイミングを回避してコンポジットパケット41を送信できるため、通信の途絶を回避することが出来る。
【００１９】
図５はコンポジットパケットの１構成例である。本図では３タイムスロット分をコンポジットする場合を示している。GEMヘッダ50の後ろにコンポジットされるTDM信号52が多重されている。増減設切り替えフラグ51は増減設に関する情報を通信するためのフィールドであり、該当するONT 2において、TDMチャネルの増減設を行う場合に用いる。
【００２０】
図６はコンポジットパケットの１構成例である。本図では３タイムスロット分をコンポジトする場合を示している。更に、該当するONT 2に２つのTDMチャネルがアサインされている場合を示している。CH1 52-1とCH2 52-2の信号を交互に３フレーム分同一GEMに搭載している。また、増減設切り替えフラグ51は増減設に関する情報を通信するためのフィールドであり、該当するONT 2において、TDMチャネルの増減設を行う場合に用いる。
【００２１】
図７に本発明によるOLT 1のブロック構成の１実施例である。光アクセスネットワークより到来する上り信号は光電変換モジュール71で電気に変換された後にOLT PON送受信ブロック72にてGEM終端し、イーサネットフレーム（イーサネットは登録商標）及びTDM信号に変換され、それぞれイーサネットPHY 73及びTDM PHY 74に送られ、IPネットワーク6及びTDM信ネットワーク7へと送出される。IPネットワーク6及びTDMネットワーク7から到来する下り信号はそれぞれイーサネットPHY 73及びTDM PHY74で受信された後、OLT PON送受信ブロック72においてGEMフレーム組み立てを行った後、光電変換モジュール71を介して光ネットワークへ送出される。MPU 75及びRAM 76、制御系インターフェース77は、OLTを制 御するためのマイコン及びRAM、そして外部よりOLTに設定を行うための設定インターフェースである。
【００２２】
図８に本発明によるONT 1のブロック構成の１実施例である。光アクセスネットワークより到来する下り信号は光電変換モジュール81で電気に変換された後にONT PON送受信ブロック82にてGEM終端し、イーサネットフレーム及びTDM信号に変換され、それぞれイーサネットPHY 83及びTDM PHY 84に送られ、IPシステム4及びTDMシステム5へと送出される。IPシステム4及びTDMシステム5から到来する上り信号はそれぞれイーサネットPHY 83及びTDM PHY84で受信された後、ONT PON送受信ブロック82においてGEMフレーム組み立てを行った後、光電変換モジュール81を介して光ネットワークへ送出される。MPU 85及びRAM 86、制御系インターフェース 87は、ONTを制御するためのマイコン及びRAM、そして外部よりONTに設定を行うための設定インターフェースである。
【００２３】
図９にOLT PON送受信ブロック72の詳細構成を示す。上り信号は光電変換モジュール71からPON受信部90に到来し、ここで同期処理、GEM切り出し処理を行った後に、受信GEM組立部91で複数の短期フレームに分割されて送信されたGEMの組み立てを行います。その後、受信GEMバッファ92に格納されて、OLT受信テーブル93のテーブル情報に応じて、OLT上りイーサネットGEM終端部94とOLT上りTDM GEM終端部96に振り分けられます。更にイーサネットフレームについてはOLT上りイーサネットインターフェース95を介してイーサネットPHY73へと送出されます。TDM信号に関しては、OLT上りTDM GEM終端部96にてTDMをコンポジットしたパケットからTDM信号が抜き出され、所望のタイミングでOLT上りTDMインターフェース97を介してTDM PHY84へと送出されます。
【００２４】
下り信号に関しては、OLT下りTDMインターフェース104からTDM信号を受信し、OLT下りTDM GEM終端部103にてTDM信号をバッファリングしてコンポジットフレームを組み立てます。イーサネットフレームに関しては、OLT下りイーサネットインターフェース106よりイーサフレームを受信し、OLT下りイーサネットGEM終端部105にてGEMの生成を行います。そしてOLT送信スケジューラ102の指示に従い、周期的にOLT下りTDM GEM終端部103よりTDMのコンポジットGEMを、空いたタイミングでOLT上りイーサネットGEM終端部105よりGEMを読み出し、送信GEMバッファ101を介して送信GEM組み立て部100にてヘッダを生成した後、PON送信部99よりGEMフレームの送信を行います。レンジングを行う場合には、レンジング制御部98がレンジング信号をOLT送信スケジューラ102により許可されたタイミングでレンジングを起動し、PON送信部99よりレンジング信号を送出します。そしてONT 2からの応答がPON受信部90を介してレンジング制御部98に戻ってくることで、レンジングが完了します。
【００２５】
図１０に上りOLT TDM GEM終端部96及び下りOLT TDM GEM終端部103のブロック構成を示します。TDM信号を載せた上り受信GEMはGEM終端部110でGEMヘッダの削除を行った後、上りフレームバッファ111にペイロード部分を書き込みます。そして上りTDM IFブロック112はコンポジット数指定レジスタ116の値に従ってＴＤＭ信号を読み出し、１２５μｓ毎に送 出します。下り方向TDM信号は１２５μｓ毎に下りTDMIFブロック113に到着し、この信号を下りフレームバッファ114に書き込みます。この時、コンポジット数指定レジスタ116の値に応じて、メモリ内の格納位置を決定します。GEM生成部115はコンポジット数指定レジスタ116の値に従い、指定個数をコンポジットしたコンポジットフレームの組み立てを行い、GEMヘッダを付与して送信します。
【００２６】
図１１にONT PON送受信ブロック82の詳細構成を示す。下り信号は光電変換モジュール71からPON受信部127に到来し、ここで同期処理、GEM切り出し処理を行った後に、受信GEM組立部126で複数の短期フレームに分割されて送信されたGEMの組み立てを行います。その後、受信GEMバッファ125に格納されて、ONT受信テーブル124のテーブル情報に応じて、ONT上りイーサネットGEM終端部121とONT上りTDM GEM終端部123に振り分けられます。更にイーサネットフレームについてはONT上りイーサネットインターフェース120を介してイーサネットPHY83へと送出されます。TDM信号に関しては、ONT下りTDM GEM終端部123にてTDMをコンポジットしたパケットからTDM信号が抜き出され、所望のタイミングでONT上りTDMインターフェース122を介してTDM PHY84へと送出されます。
【００２７】
上り信号に関しては、ONT上りTDMインターフェース134からTDM信号を受信し、ONT上りTDM GEM終端部133にてTDM信号をバッファリングしてコンポジットフレームを組み立てます。イーサネットフレームに関しては、ONT上りイーサネットインターフェース136よりイーサフレームを受信し、ONT上りイーサネットGEM終端部135にてGEMの生成を行います。そしてONT送信スケジューラ131の指示に従い、周期的にONT上りTDM GEM終端部133よりTDMのコンポジットGEMを、空いたタイミングでONT上りイーサネットGEM終端部135よりGEMを読み出し、送信GEMバッファ132を介して送信GEM組み立て部130にてヘッダを生成した後、PON送信部129よりGEMフレームの送信を行います。レンジングを要求された場合には、PON受信部127で受信したレンジング要求信号をレンジング制御部128で処理し、折り返しPON送信部129を介してレンジング受信信号を送り返すことで、ONT 2におけるレンジング処理を終了します。
【００２８】
図１２に下りONT TDM GEM終端部123及び下りONT TDM GEM終端部133のブロック構成を示します。TDM信号を載せた下り受信GEMはGEM終端部140でGEMヘッダの削除を行った後、下りフレームバッファ141にペイロード部分を書き込みます。そして下りTDM IFブロック142はコンポジット数指定レジスタ146の値に従ってＴＤＭ信号を読み出し、１２５μｓ毎に送出します。上り方向TDM信号は１２５μｓ毎に上りTDMIFブロック143に到着し、この信号を上りフレームバッファ144に書き込みます。この時、コンポジット数指定レジスタ116の値に応じて、メモリ内の格納位置を決定します。GEM生成部145はコンポジット数指定レジスタ146の値に従い、指定個数をコンポジットしたコンポジットフレームの組み立てを行い、GEMヘッダを付与して送信します。
【符号の説明】
【００２９】
１…光集線装置（OLT）、２…光加入者装置（ONT）、３…スプリッタ、４…ＩＰシステム、５…ＴＤＭシステム、６…ＩＰネットワーク、７…ＴＤＭネットワーク、９６…ＯＬＴ上りTDM GEM終端部、１０３…ＯＬＴ下りTDM GEM終端部、１２３…ＯＮＴ下りTDM GEM終端部、１３３…ＯＮＴ上りTDM GEM終端部。
【図１】
2010104021.tif 000003
【図２】
2010104021.tif 000004
【図３】
2010104021.tif 000005
【図４】
2010104021.tif 000006
【図５】
2010104021.tif 000007
【図６】
2010104021.tif 000008
【図７】
2010104021.tif 000009
【図８】
2010104021.tif 000010
【図９】
2010104021.tif 000011
【図１０】
2010104021.tif 000012
【図１１】
2010104021.tif 000013
【図１２】
2010104021.tif 000014
【図１３】
2010104021.tif 000015